(57)【要約】【課題】冷気との調湿部材との十分な接触を確保しつつ、調湿部材と液体との接触を低減し、調湿性能の維持と衛生の確保とを両立する冷蔵庫を提供する。【解決手段】調湿部材５１と、調湿部材５１を収容するケーシング５２とから構成される調湿ユニット１２は、冷蔵庫の野菜庫などの収納容器に取り付けられる。調湿部材５１は、保湿粒子を担持するシート状の不織布と通気性フィルムとが積層されている。調湿部材５１は、ケーシング５２の内側に収容されているため、ケーシング５２によって液状の食品との接触が回避されるとともに、開口部５９を経由して流れる冷気と十分に接触する。また、調湿部材５１は、ケーシング５２に収容されているため、汚れや液体が付着すると容易に交換可能である。したがって、冷気との調湿部材５１との十分な接触が確保されるとともに、調湿部材５１と液体との接触が低減され、調湿性能の維持と衛生の確保とが両立して達成される。【選択図】図２
2010139183.tif 000002
【特許請求の範囲】
【請求項１】
複数の貯蔵室を形成する本体と、
複数の前記貯蔵室のうち少なくともいずれか一つに設けられ、シート状の不織布、前記不織布に担持されている保湿粒子、および前記保湿粒子が担持されている前記不織布を覆い気体の水蒸気の通過を許容し液体の水の通過を制限する通気性フィルムを有する調湿部材と、
冷気が通過可能な開口部を有し、前記調湿部材を収容するケーシングと、
を備えることを特徴とする冷蔵庫。
【請求項２】
前記貯蔵室に前後へ移動可能に収容され、前記本体の後壁との間に冷気が流れる冷却通路を形成する収納容器をさらに備え、
前記開口部は、前記収納容器側の前側に前記冷却通路と前記収納容器側とを接続するルーバであることを特徴とする請求項１記載の冷蔵庫。
【請求項３】
前記ルーバは、前記冷気通路から前記収納容器側へかけて、上方から下方へ向けて形成されていることを特徴とする請求項２記載の冷蔵庫。
【請求項４】
前記ルーバは、前記冷気通路から前記収納容器側へかけて、下方から上方へ向けて形成されていることを特徴とする請求項２記載の冷蔵庫。
【請求項５】
前記貯蔵室の前方を開閉する扉と、
前記扉の前記貯蔵室側に設けられているドアポケットと、をさらに備え、
前記調湿部材は、前記ドアポケットに設けられていることを特徴とする請求項１記載の冷蔵庫。
【請求項６】
前記本体は、前記貯蔵室として冷蔵室および冷凍室を形成し、
前記冷蔵室に冷気の流れを形成する送風ファンと、
前記冷蔵室を循環する冷気を冷却する第一冷却器と、
前記冷凍室を循環する冷気を冷却する第二冷却器と、をさらに備え、
前記第一冷却器に冷媒が流れているとき前記送風ファンは前記調湿部材を経由する冷気の流れを形成し、前記第二冷却器に冷媒が流れているとき前記送風ファンは前記調湿部材を経由しない冷気の流れを形成することを特徴とする請求項１または５記載の冷蔵庫。
【請求項７】
前記貯蔵室に冷気の流れを形成する送風ファンと、
前記送風ファンによって形成される冷気の流れが前記貯蔵室へ吹き出す吹出部と、をさらに備え、
前記調湿部材は、前記送風ファンまたは前記吹出部のいずれかの近傍に配置されていることを特徴とする請求項１記載の冷蔵庫。
【請求項８】
前記送風ファンまたは前記吹出部のいずれかを通過した冷気の流れ方向を制御するダンパをさらに備えることを特徴とする請求項７記載の冷蔵庫。
【請求項９】
前記ケーシングは、前記調湿部材を湾曲した状態で収容することを特徴とする請求項１から８のいずれか一項記載の冷蔵庫。
【発明の詳細な説明】
【技術分野】
【０００１】
本発明は、冷蔵庫に関し、特に貯蔵室の湿度を調整する調湿機能を備える冷蔵庫に関する。
【背景技術】
【０００２】
従来、冷蔵庫は、冷却器で冷却した冷気を循環させることにより、冷蔵室をはじめとする複数の貯蔵室を冷却している。循環する冷気は、冷却器を通過することにより、温度が低下するとともに湿度が低下する。これは、冷気に含まれる水蒸気が冷却器において凝結し、液体の水として除去されるからである。そのため、冷蔵室をはじめとする冷蔵庫の貯蔵室は湿度が低下し、貯蔵室内に収容された食品は乾燥しやすくなる。
【０００３】
そこで、複数の貯蔵室のうち冷蔵室を冷却する冷却器と、冷凍室を冷却する冷却器とを個別に設け、冷蔵室の冷却器の温度を冷凍室の冷却器に比較して高い温度に設定することにより、冷蔵室の冷却器における水蒸気の凝結を低減し、冷蔵室の湿度を高めに維持することが考えられている。しかし、冷蔵室の冷却が継続することにより、冷蔵室の湿度は低下し、特に水分を多く含み表面積の大きな野菜などの食品は乾燥しやすくなる。このような冷蔵室の乾燥を低減し、冷蔵室の湿度を維持するために、シート状の調湿部材を冷蔵室に設けることが提案されている（特許文献１参照）。
【特許文献１】特許第３５６３２８６号明細書
【発明の開示】
【発明が解決しようとする課題】
【０００４】
特許文献１に開示されている冷蔵庫の調湿部材は、冷蔵室の湿度が高いとき、空気中に含まれる水蒸気を吸収するとともに、冷蔵室の湿度が低下すると、吸収した水蒸気を放出する。これにより、冷蔵室を循環する冷気に含まれる水蒸気は、概ね一定に維持される。しかしながら、このような調湿部材は、冷蔵室の湿度の上昇にともない多くの水分を含んだまま長時間が経過すると、例えばカビなどを招く原因となる。また、冷蔵庫には、固形の食品だけでなく、例えば飲料や汁物などの液状の食品も収容される。そのため、これら液状の食品が調湿部材に付着すると、カビなどを招く原因となる。一方、調湿部材を用いて冷気の湿度を調整するためには、調湿部材と冷気とが十分に接触する、すなわち十分な表面積を確保する必要がある。しかし、冷気と調湿部材との十分な接触の確保は、調湿部材と液体との接触を招くこととなり、調湿性能の維持と衛生の確保とは相反する条件となる。
【０００５】
そこで、本発明は、上記の課題に鑑みてなされたものであり、冷気との調湿部材との十分な接触を確保しつつ、調湿部材と液体との接触を低減し、調湿性能の維持と衛生の確保とを両立する冷蔵庫を提供することにある。
【課題を解決するための手段】
【０００６】
上記の課題を解決するために、本発明の冷蔵庫は、複数の貯蔵室を形成する本体と、複数の前記貯蔵室のうち少なくともいずれか一つに設けられ、シート状の不織布、前記不織布に担持されている保湿粒子、および前記保湿粒子が担持されている前記不織布を覆い気体の水蒸気の通過を許容し液体の水の通過を制限する通気性フィルムを有する調湿部材と、冷気が通過可能な開口部を有し、前記調湿部材を収容するケーシングと、を備えることを特徴とする。
【発明の効果】
【０００７】
本発明の冷蔵庫によれば、保湿粒子を担持するシート状の不織布は、通気性フィルムに積層されている。これら不織布と通気性フィルムとが積層された調湿部材は、冷気が通過可能な開口部を有するケーシングの内側に収容されている。これにより、調湿部材は、ケーシングによって液状の食品との接触が回避されるとともに、開口部を経由する冷気と十分に接触する。また、調湿部材は、ケーシングに収容されているため、汚れや液体が付着すると、容易に交換可能である。さらに、保湿粒子を担持する不織布は、通気性フィルムで覆われているため、液状の食品との接触がより低減される。したがって、冷気との調湿部材との十分な接触を確保しつつ、保湿粒子および不織布と液体との接触を低減することができ、調湿性能の維持と衛生の確保とを両立して達成することができる。
【発明を実施するための最良の形態】
【０００８】
以下、本発明による冷蔵庫の複数の実施形態を図面に基づいて説明する。なお、複数の実施形態において実質的に同一の構成部位には同一の符号を付し、説明を省略する。
（第１実施形態）
本発明の第１実施形態による冷蔵庫を図１に示す。冷蔵庫１０は、本体１１および調湿ユニット１２を備えている。本体１１は、前方が開口した箱状であり、内部に冷蔵室１３、切替室１４および冷凍室１５などを形成している。冷蔵庫１０は、図１における左方が前方であり、右方が後方である。第１実施形態の場合、冷蔵室１３は、特許請求の範囲の貯蔵室に相当する。冷蔵庫１０は、本体１１が形成する冷蔵室１３、切替室１４および冷凍室１５を形成する前面を開閉する扉を備えている。具体的には、冷蔵庫１０は、冷蔵室１３を開閉する冷蔵扉１６、切替室１４を開閉する切替扉１７および冷凍室１５を開閉する冷凍扉１８を備えている。冷蔵扉１６は、図示しないヒンジ部を回転中心として冷蔵室１３の前方を開閉する。切替室１４および冷凍室１５には、それぞれ切替容器２１および冷凍容器２２が収容されている。切替容器２１は、切替室１４を開閉する切替扉１７とともに冷蔵庫１０の前後へ移動する。同様に、冷凍容器２２は、冷凍室１５を開閉する冷凍扉１８とともに冷蔵庫１０の前後へ移動する。
【０００９】
冷蔵庫１０は、冷蔵室１３の内部を仕切る複数の仕切板２３〜２７を有している。仕切板２３〜２７は、冷蔵室１３を複数の空間に仕切っている。また、冷蔵扉１６の冷蔵室１３側、すなわち冷蔵扉１６の内側には、冷蔵扉１６とともに移動する複数のドアポケット２８が設けられている。ドアポケット２８は、冷蔵扉１６の内側に上下に複数設けられている。仕切板２６と仕切板２７との間には、卵容器２９が設けられている。さらに、仕切板２７の下方には、野菜容器３１が設けられている。卵容器２９および野菜容器３１は、冷蔵庫１０の前後へ移動可能である。第１実施形態における野菜容器３１は、特許請求の範囲の収納容器に相当する。
【００１０】
冷蔵庫１０は、冷気循環部４０を備えている。冷気循環部４０は、送風ファン４１および熱交換ユニットを有している。送風ファン４１は、制御装置４２からの通電により回転し、冷蔵室１３の内部に冷気の流れを形成する。熱交換ユニットは、コンプレッサ４３、第一冷却器４４および第二冷却器４５を有している。送風ファン４１は、冷蔵室１３の上方に設けられており、第一冷却器４４および冷蔵室１３の各仕切板２３〜２７の間を経由する冷気の流れを形成する。第一冷却器４４は、冷蔵室１３の背面側に設けられている背面カバー４６と本体１１との間に形成される循環通路４７に配置されている。冷気は、送風ファン４１による送風および冷蔵室１３における温度差による自然対流によって冷蔵室１３の内部を循環する。同様に冷凍室１５にも送風ファン４８が設けられている。冷気は、送風ファン４８による送風および冷凍室１５における温度差による自然対流によって冷凍室１５の内部を循環する。
【００１１】
制御装置４２およびコンプレッサ４３は、本体１１の下方背面側に配置されている。制御装置４２は、例えばＣＰＵ、ＲＯＭおよびＲＡＭを有するマイクロコンピュータで構成されており、冷蔵庫１０の各部を制御する。コンプレッサ４３は、制御装置４２からの通電により、冷媒を圧縮する。圧縮された冷媒は、図示しないコンデンサで放熱された後、第一冷却器４４または第二冷却器４５で気化することにより温度が低下する。これにより、冷蔵室１３または冷凍室１５を循環する冷気は、第一冷却器４４または第二冷却器４５を通過することによって冷却される。
【００１２】
調湿ユニット１２は、冷蔵室１３に設けられている。調湿ユニット１２は、図２から図４に示すように調湿部材５１およびケーシング５２を有している。調湿部材５１は、図５に示すように不織布５４および通気性フィルム５５で構成されている。不織布５４は、図示しない保湿粒子を担持している。保湿粒子は、例えば高分子などにより粉末状に形成され、不織布５４に付着している。保湿粒子は、冷蔵室１３の湿度が上昇すると冷蔵室１３内を循環する冷気に含まれる水蒸気を吸収し、冷蔵室１３の湿度が低下すると冷蔵室１３内を循環する冷気に水蒸気を放出する。保湿粒子は、冷蔵室１３を循環する冷気との接触する表面積を拡大するために、微粒子状に形成されている。そのため、保湿粒子は、不織布５４に担持されている。
【００１３】
通気性フィルム５５は、例えば０．０１μｍ〜２０μｍの細かな孔５６を有する多孔体であり、気体の水蒸気の通過を許容するのに対し、液体の水の通過を制限する。なお、図５では、説明の簡単のため孔５６を拡大して描いている。微細な水滴は、一般に数１０μｍ〜１００μｍ程度の粒径を有している。そのため、通気性フィルム５５の孔５６の径を２０μｍ以下に設定することにより、通常の１ｍｍ程度の水滴だけでなく、霧状の水滴も通気性フィルム５５によって通過が制限される。一方、水蒸気は、一般に０．００４μｍ以下である。そのため、通気性フィルム５５の孔５６の径を０．０１μｍ以上に設定することにより、水蒸気を含む気体成分は通気性フィルム５５の通過が許容される。これにより、不織布５４への水の浸透が低減され、例えば通気性フィルム５５を防カビ処置することにより、保湿粒子を担持した不織布５４におけるカビの発生が低減される。また、通気性フィルム５５を定期的に交換することにより、保湿粒子を担持した不織布５４は交換することなく、衛生が確保される。
【００１４】
ケーシング５２は、保湿粒子を担持する不織布５４および通気性フィルム５５が積層された調湿部材５１を収容する。ケーシング５２は、図２〜図４に示すように表カバー５７および裏カバー５８を有しており、表カバー５７と裏カバー５８との間に形成される空間に調湿部材５１を収容する。表カバー５７と裏カバー５８とは、例えば嵌合などにより着脱可能に組み付けられている。表カバー５７は、図２および図３に示すように板厚方向へ貫く開口部５９を有している。これにより、冷蔵室１３を循環する冷気は、開口部５９を経由してケーシング５２の内側と外側との間を流れる。
【００１５】
第１実施形態の場合、調湿ユニット１２は、図１および図６に示すように野菜容器３１の後壁６１側に取り付けられている。図４に示すように、ケーシング５２の裏カバー５８は、表カバー５７と反対側の端面に係止部６２を有している。この係止部６２を野菜容器３１の後壁６１に係止することにより、調湿部材５１を収容するケーシング５２は野菜容器３１に着脱可能に取り付けられる。また、図７に示すように、調湿ユニット１２は、冷蔵扉１６のドアポケット２８に取り付けてもよい。このように、調湿部材５１を収容するケーシング５２は、係止部６２を利用して冷蔵室１３の各部に取り付け可能である。
【００１６】
以上、説明した第１実施形態による冷蔵庫１０では、保湿粒子を担持するシート状の不織布５４は、通気性フィルム５５と積層されている。これら不織布５４と通気性フィルム５５とが積層された調湿部材５１は、冷気が通過可能な開口部５９を有するケーシング５２の内側に収容されている。これにより、調湿部材５１は、ケーシング５２によって液状の食品との接触が回避されるとともに、開口部５９を経由して流れる冷気と十分に接触する。また、調湿部材５１は、ケーシング５２に収容されているため、汚れや液体が付着すると、容易に交換可能である。さらに、保湿粒子を担持する不織布５４は、通気性フィルム５５で覆われているため、液状の食品との接触がより低減される。したがって、冷気との調湿部材５１との十分な接触を確保しつつ、保湿粒子および不織布５４と液体との接触を低減することができ、調湿性能の維持と衛生の確保とを両立して達成することができる。
【００１７】
また、第１実施形態では、調湿ユニット１２は、野菜容器３１の後壁６１側に設けられている。野菜容器３１は、送風ファン４１によって形成される冷蔵室１３内の冷気の循環経路から外れている。これは、野菜容器３１の内部を冷気が循環すると、野菜の水分がより早く失われ、野菜の鮮度の低下を招きやすいからである。この野菜容器３１に調湿ユニット１２を取り付けることにより、冷気が循環しにくい野菜容器３１の内部は調湿ユニット１２によって、より安定した湿度に維持される。したがって、野菜容器３１に収容された野菜の鮮度をより長期間安定して保持することができる。
【００１８】
一方、第１実施形態では、調湿ユニット１２は、冷蔵扉１６のドアポケット２８に取り付けてもよい。冷蔵室１３の内部における冷気の流れは、送風ファン４１によって冷蔵扉１６のドアポケット２８、各仕切板２３〜２７および循環通路４７を経由して循環する。そのため、送風ファン４１から送風された冷気は、冷蔵庫１０のドアポケット２８に向けて流れる。このドアポケット２８に調湿ユニット１２を取り付けることにより、冷蔵室１３の内部を循環する冷気は、調湿ユニット１２に当たりやすくなる。したがって、冷蔵室１３における冷気の湿度を容易に安定して維持することができる。
【００１９】
（第２、第３実施形態）
本発明の第２実施形態および第３実施形態による冷蔵庫の要部をそれぞれ図８または図９に示す。
第２実施形態の場合、図８に示すように冷蔵庫１０は、本体１１の後壁を覆う背面カバー４６と収納容器７１との間に冷却通路７２を形成している。この場合、収納容器７１は、第１実施形態の野菜容器３１であってもよく、他の容器であってもよい。冷蔵室１３を循環する冷気のうち仕切板７３と仕切板７４との間を通過した冷気は、背面カバー４６に沿って冷却通路７２へ流入する。そして、冷気は、冷却通路７２において上方から下方へ流れる。
【００２０】
第２実施形態の場合、収納容器７１と背面カバー４６との間には、調湿ユニット１２のケーシング７５が設けられている。ケーシング７５は、表カバー７６および背面カバー４６から構成されている。ケーシング７５は、上端に冷気が流入する流入口７７を有している。また、ケーシング７５は、下端に背面カバー４６などに付着した水滴を排出するための水抜穴７８を有している。ケーシング７５の表カバー７６は、板厚方向に貫く開口部としてのルーバ７９を有している。ルーバ７９は、ケーシング７５の流入口７７側から収納容器７１の内側へかけて上方から下方へ向けて形成されている。調湿部材５１は、ケーシング７５の表カバー７６と背面カバー４６との間に収容され、流入口７７とルーバ７９との間を遮る位置に配置されている。
【００２１】
水抜穴７８の開口面積は、ルーバ７９に比較して小さい。そのため、流入口７７へ流入した冷気は、調湿部材５１を通過した後、ルーバ７９から収納容器７１へ流入する。ここで、ルーバ７９を上方から下方へ向けて形成することにより、調湿ユニット１２のケーシング７５へ流入して調湿部材５１を通過した冷気は、ルーバ７９に案内されて容易に収納容器７１へ流入する。これにより、収納容器７１は、調湿ユニット１２の調湿部材５１を通過することにより湿度が調整された冷気が流入する。その結果、収納容器７１を例えば野菜容器とする場合、この収納容器７１の内部には比較的湿度の高い冷気が供給される。したがって、収納容器７１に収容された野菜などの食品の鮮度を長期間安定して保持することができる。
【００２２】
第３実施形態の場合、図９に示すように調湿ユニット１２のケーシング７５に設けられているルーバ７９の向きが第２実施形態と異なる。すなわち、第３実施形態の場合、ルーバ７９は、ケーシング７５の流入口７７から収納容器７１の内側へかけて下方から上方へ向けて形成されている。流入口７７へ流入した冷気は、調湿部材５１を通過した後、一旦ケーシング７５の下方へ流れ、折り返しながらルーバ７９を通過して収納容器７１へ流入する。このように、ケーシング７５の内側と外側とを接続するルーバ７９を下方から上方へ向けて形成することにより、ケーシング７５の内側の液体は、下方に設けられている流出口８１からの流出が促され、ルーバ７９を経由して収納容器７１側への流出が低減される。
【００２３】
ケーシング７５の内側には、例えば結露などによって水などの液体が流入するおそれがある。また、万が一、ユーザの不注意などによって、仕切板７３、７４の上側で飲料水などの液体を散乱させた場合、仕切板７３、７４の後端から漏れた液体は、冷気と同様にケーシング７５の流入口７７からケーシング７５の内側へ流入する。このような場合でも、第３実施形態では、ルーバ７９によって液体が流れる方向が制限され、収納容器７１側への液体の流入が回避される。したがって、収納容器７１に収容された食品の汚染などを低減することができる。
【００２４】
（第４実施形態）
本発明の第４実施形態による冷蔵庫の要部を図１０に示す。
第４実施形態では、調湿ユニット１２は、図１０に示すように冷蔵庫１０の送風ファン４８に近接して配置されている。調湿ユニット１２を通過した冷気は、送風ファン４８と反対側の冷気吹出口８２から冷蔵室１３へ供給される。冷気吹出口８２は、特許請求の範囲の吹出部に相当する。調湿ユニット１２は、ケーシング８３の内部に第一通路８４および第二通路８５を形成している。調湿ユニット１２の調湿部材８６は、第一通路８４に配置されている。また、調湿ユニット１２は、第一通路８４を開閉して調湿部材８６への冷気の流れを断続するダンパ８７を有している。ダンパ８７は、制御装置４２からの指示により、第一通路８４を開放または遮断する。
【００２５】
上述のように冷蔵庫１０は、冷蔵室１３を循環する冷気が通過する第一冷却器４４および冷凍室１５を循環する冷気が通過する第二冷却器４５を有している。第一冷却器４４を経由して冷気が循環しているとき、冷蔵室１３の内部の冷気は第一冷却器４４で水蒸気が凝縮しやすい。そのため、制御装置４２は、第一冷却器４４に冷媒を供給し、第一冷却器４４を冷媒が流れているとき、送風ファン４８を駆動するとともに、ダンパ８７によって第一通路８４を開放する。これにより、第一冷却器４４を通過することで冷気に含まれる水蒸気の一部が除去される場合でも、冷蔵室１３の内部には調湿部材８６を通過することで湿度が高められた冷気が供給される。
【００２６】
一方、制御装置４２は、第二冷却器４５に冷媒を供給し、第二冷却器４５を冷媒が流れているとき、すなわち第一冷却器４４を冷媒が流れていないときも、送風ファン４８を駆動するとともに、ダンパ８７によって第一通路８４を遮断する。上述のように第一冷却器４４に冷媒が流れているとき、冷気が第一冷却器４４を通過することにより、冷気に含まれている水蒸気は第一冷却器４４で凝縮し、霜となって付着する。そこで、第一冷却器４４を冷媒が流れていないとき送風ファン４８を駆動することにより、第一冷却器４４に付着した霜は融解する。そして、溶融した霜は水蒸気となって第一冷却器４４を通過する冷気に含まれ、冷蔵室１３内を循環する。そのため、冷蔵室１３は、比較的高い湿度に維持される。このとき、制御装置４２が第一通路８４をダンパ８７で遮断することにより、第一冷却器４４を通過した水蒸気を含む冷気は送風ファン４８によって冷蔵室１３の内部を循環する。
【００２７】
第４実施形態では、第一冷却器４４および第二冷却器４５を備える冷蔵庫１０において、いずれの冷却器に冷媒を供給しているかによって冷気の流れを制御している。すなわち、冷蔵室１３を冷却するために第一冷却器４４を冷媒が流れるとき、冷気は第一冷却器４４および調湿部材８６を通過した後に冷蔵室１３へ供給される。一方、冷凍室１５を冷却するために第二冷却器４５を冷媒が流れるとき、冷蔵室１３の冷気は第一冷却器４４を通過した後、調湿部材８６を通過することなく循環する。これにより、冷気が第一冷却器４４で冷却されるとき、第一冷却器４４で凝結することにより水蒸気が除去されても、調湿部材８６から水蒸気が供給される。一方、冷気が第一冷却器４４で冷却されないとき、第一冷却器４４に付着した霜によって冷気に水蒸気が供給される。これにより、第一冷却器４４で冷気を冷却していないときだけでなく、第一冷却器４４で冷気を冷却しているときでも、冷気に十分な水蒸気が供給される。したがって、冷蔵室１３を循環する冷気の湿度を高く維持することができ、冷蔵室１３に収容された野菜などの食品の鮮度を長期間保持することができる。
【００２８】
（第５、第６実施形態）
本発明の第５実施形態および第６実施形態による冷蔵庫の調湿ユニットをそれぞれ図１１または図１２に示す。
第５実施形態では、図１１に示すように調湿ユニット１２のケーシング５２は、内側に突起９１、９２を有している。これらの突起９１、９２は、表カバー５７および裏カバー５８に対し互い違いに設けられている。これにより、ケーシング５２の内側は、波形状の空間となる。そのため、調湿部材５１は、突起９１、９２によって拘束された湾曲状の波形状となってケーシング５２の内側に収容される。その結果、限られたケーシング５２の内側の空間に、より表面積の大きな調湿部材５１が収容される。したがって、調湿ユニット１２による調湿性能を高めることができる。
【００２９】
また、第６実施形態では、図１２に示すように調湿ユニット１２のケーシング５２は、内側を二つ以上の空間に仕切っている。そして、調湿部材５１は、ケーシング５２によって仕切られた複数の空間にそれぞれ湾曲した筒状に形成されて収容されている。これにより、限られたケーシング５２の内側の空間に、より表面積の大きな調湿部材５１が収容される。したがって、第６実施形態でも調湿ユニット１２による調湿性能を高めることができる。
なお、第５実施形態における波形状の調湿部材５１の山および谷の数、ならびに第６実施形態におけるケーシング５２の内側の空間および収容される調湿部材５１の数は、任意に変更することができる。
【００３０】
（その他の実施形態）
以上説明した複数の実施形態では、調湿ユニット１２を冷蔵室１３に設ける例について説明した。しかし、調湿ユニット１２は、冷蔵室１３に限らず、切替室１４または冷凍庫１５に設けてもよい。
【図面の簡単な説明】
【００３１】
【図１】本発明の第１実施形態による冷蔵庫の概略を示す断面図
【図２】本発明の第１実施形態による冷蔵庫の調湿ユニットを示す分解斜視図
【図３】本発明の第１実施形態による冷蔵庫の調湿ユニットを前方から見た概略斜視図
【図４】本発明の第１実施形態による冷蔵庫の調湿ユニットを後方から見た概略斜視図
【図５】本発明の第１実施形態による冷蔵庫の調湿部材を示す模式的な斜視図
【図６】本発明の第１実施形態による冷蔵庫の野菜容器に取り付けた調湿ユニットを示す概略斜視図
【図７】本発明の第１実施形態による冷蔵庫のドアポケットに取り付けた調湿ユニットを示す概略斜視図
【図８】本発明の第２実施形態による冷蔵庫において調湿ユニットの近傍の概略を示す断面図
【図９】本発明の第３実施形態による冷蔵庫において調湿ユニットの近傍の概略を示す断面図
【図１０】本発明の第４実施形態による冷蔵庫の調湿ユニットを示す模式図
【図１１】本発明の第５実施形態による冷蔵庫の調湿ユニットの概略を示す断面図
【図１２】本発明の第６実施形態による冷蔵庫の調湿ユニットの概略を示す断面図
【符号の説明】
【００３２】
図面中、１０は冷蔵庫、１１は本体、１３は冷蔵室（貯蔵室）、１５は冷凍室（貯蔵室）、１６は冷蔵扉、２８はドアポケット、３１は野菜容器（収納容器）、４１は送風ファン、４４は第一冷却器、４５は第二冷却器、４８は送風ファン、５１、８６は調湿部材、５２、７５、８３はケーシング、５４は不織布、５５は通気性フィルム、５９は開口部、７１は収納容器、７２は冷却通路、７９はルーバ、８２は冷気吹出口（吹出部）、８７はダンパを示す。
【図１】
2010139183.tif 000003
【図２】
2010139183.tif 000004
【図３】
2010139183.tif 000005
【図４】
2010139183.tif 000006
【図５】
2010139183.tif 000007
【図６】
2010139183.tif 000008
【図７】
2010139183.tif 000009
【図８】
2010139183.tif 000010
【図９】
2010139183.tif 000011
【図１０】
2010139183.tif 000012
【図１１】
2010139183.tif 000013
【図１２】
2010139183.tif 000014